(57)【要約】【課題】  ユーザの行動履歴に合致した楽曲を自動的に再生する。【解決手段】  ＡＶ機器２０を制御する携帯端末１０には、ＧＰＳなどの位置検出部１２とユーザを認証する個人認証部１３が設けられている。ユーザが携帯端末１０を持って外出すると、所定時間ごとに位置検出部１２で検出した位置情報と時刻情報との組からなる行動履歴情報が携帯端末１０内のメモリに記憶される。帰宅すると、携帯端末１０に記憶させた行動履歴情報がＡＶ機器２０に送信され、ＡＶ機器２０はユーザＩＤとその行動履歴情報をサーバ装置４０に送信する。サーバ装置４０は該行動履歴情報からユーザが所定時間以上滞在した場所を解析し、そこで行われていたイベントなどの情報からそれに合致した曲を判別し、前記ＡＶ機器２０にその曲データをストリーミング配信する。【選択図】  図１
2005222111.tif 000002
【特許請求の範囲】
【請求項１】
ＡＶ機器を制御することができる携帯端末であって、
個人認証部と、
位置検出部と、
所定時間毎に前記位置検出部で検出した位置情報と時刻情報とを記憶する行動履歴情報記憶部と、
個人認証情報と前記行動履歴情報記憶部に記憶された行動履歴情報を前記ＡＶ機器に送信する送信部と
を有することを特徴とする携帯端末。
【請求項２】
サーバー装置に接続されたＡＶ機器であって、
ユーザの個人認証情報と行動履歴情報を携帯端末から受信する手段と、
ユーザを特定する個人識別情報と前記行動履歴情報を前記サーバー装置に送信する手段と、
該送信した個人識別情報と行動履歴情報に対応して前記サーバー装置からストリーミング配信される楽曲データを再生する楽曲再生手段と
を有することを特徴とするＡＶ機器。
【請求項３】
ＡＶ機器にネットワークを介して接続されたサーバー装置であって、
複数の楽曲の曲データを格納した楽曲データベースと、
前記ＡＶ機器から、ユーザを特定する個人識別情報とそのユーザの行動履歴情報を受信する手段と、
受信した行動履歴情報に基づいて、その行動履歴に対応する楽曲を選択する行動履歴曲判別手段と、
該行動履歴曲判別手段により選択された楽曲を前記ＡＶ機器で再生させる手段と
を有することを特徴とするサーバー装置。
【請求項４】
前記行動履歴曲判別手段は、前記行動履歴情報を解析して、ユーザが滞在した時間の長い順にユーザが滞在した場所に関連する楽曲を選択するものであることを特徴とする請求項３記載のサーバー装置。
【請求項５】
さらに各ユーザの音楽上の嗜好に関する情報を格納した個人情報データベースを有しており、前記行動履歴曲判別手段は、前記行動履歴に対応する楽曲を選択するときに、そのユーザの音楽上の嗜好も反映させるようになされていることを特徴とする請求項３又は４記載のサーバー装置。
【請求項６】
前記行動履歴曲判別手段により選択された楽曲を前記ＡＶ機器で再生させる手段は、その楽曲の曲データを前記ＡＶ機器にストリーミング配信する手段であることを特徴とする請求項３〜５のいずれかに記載のサーバー装置。
【発明の詳細な説明】
【技術分野】
【０００１】
本発明は、オーディオ再生装置などのＡＶ機器、該ＡＶ機器の携帯端末、及び、該ＡＶ機器にネットワークを介して接続されたサーバー装置に関する。
【背景技術】
【０００２】
テレビジョン受像機、ＣＤプレイヤ、ＤＶＤプレイヤ、オーディオ再生装置などの各種ＡＶ（Audio Visual）機器は、通常、リモートコントロール装置を用いて制御できるようになされている。
このようなＡＶ機器に個々のユーザに対応した動作を行わせるために、個人を判別する機能を持たせたリモートコントロール装置が提案されている（特許文献１）。
この提案されているリモートコントロール装置によれば、指紋認証器などを用いてユーザを判別することができ、判別した個々のユーザに対応した制御を行なうことができる。
【特許文献１】特開２００１−１２８２５３号公報
【発明の開示】
【発明が解決しようとする課題】
【０００３】
上記提案されているリモートコントロール装置によれば、各ユーザーそれぞれに応じた機器制御を行うことができる。しかしながら、各ユーザーの設定情報に応じて、毎日同じ制御が行われるものであった。
ユーザの行動はいつも同じというわけではなく、行動履歴に応じて機器の制御を行うようにすれば、個人情報に基づく制御をより充実したものとすることができる。
【０００４】
そこで本発明は、ユーザの行動履歴に応じた制御を行うことができるＡＶ機器の携帯端末、ＡＶ機器及びサーバー装置を提供することを目的としている。
【課題を解決するための手段】
【０００５】
上記目的を達成するために、本発明のＡＶ機器の携帯端末は、ＡＶ機器を制御することができる携帯端末であって、個人認証部と、位置検出部と、所定時間毎に前記位置検出部で検出した位置情報と時刻情報とを記憶する行動履歴情報記憶部と、個人認証情報と前記行動履歴情報記憶部に記憶された行動履歴情報を前記ＡＶ機器に送信する送信部とを有するものである。
また、本発明のＡＶ機器は、サーバー装置に接続されたＡＶ機器であって、ユーザの個人認証情報と行動履歴情報を携帯端末から受信する手段と、ユーザを特定する個人識別情報と前記行動履歴情報を前記サーバー装置に送信する手段と、該送信した個人識別情報と行動履歴情報に対応して前記サーバー装置からストリーミング配信される楽曲データを再生する楽曲再生手段とを有するものである。
【０００６】
さらに、本発明のサーバー装置は、ＡＶ機器にネットワークを介して接続されたサーバー装置であって、複数の楽曲の曲データを格納した楽曲データベースと、前記ＡＶ機器から、ユーザを特定する個人識別情報とそのユーザの行動履歴情報を受信する手段と、受信した行動履歴情報に基づいて、その行動履歴に対応する楽曲を選択する行動履歴曲判別手段と、該行動履歴曲判別手段により選択された楽曲を前記ＡＶ機器で再生させる手段とを有するものである。
さらにまた、前記行動履歴曲判別手段は、前記行動履歴情報を解析して、ユーザが滞在した時間の長い順にユーザが滞在した場所に関連する楽曲を選択するものとされている。
さらにまた、各ユーザの音楽上の嗜好に関する情報を格納した個人情報データベースを有しており、前記行動履歴曲判別手段は、前記行動履歴に対応する楽曲を選択するときに、そのユーザの音楽上の嗜好も反映させるようになされているものである。
さらにまた、前記行動履歴曲判別手段により選択された楽曲を前記ＡＶ機器で再生させる手段は、その楽曲の曲データを前記ＡＶ機器にストリーミング配信する手段とされている。
【発明の効果】
【０００７】
本発明のＡＶ機器の携帯端末、ＡＶ機器及びサーバー装置によれば、外出時などに携帯端末を持ち運ぶことで、自動的に個人の行動履歴を記録することが可能となる。
そして、帰宅後に、該行動履歴に対応した曲を聴くことができる。
また、携帯端末で個人認証が可能であるため、各ユーザーが同じ携帯端末を使用し、各々の行動履歴を記憶させることができる。
【発明を実施するための最良の形態】
【０００８】
図１は、本発明の携帯端末、ＡＶ機器及びサーバー装置から構成されるＡＶシステムの全体構成を示す図である。
この図において、１０はＡＶ機器２０をリモートコントロールするための携帯端末（モバイルコントローラ）、２０はネットワーク対応のＡＶ機器、３０はインターネットなどのネットワーク、４０はネットワーク３０に接続されたサーバー装置であり、複数の楽曲の曲データを格納した楽曲データベース４１及びユーザの個人情報を格納した個人情報データベース４２を備えている。この楽曲データベース４１には、複数の楽曲の曲データが、アーティスト名、アルバム名、その楽曲に関係するキーワード、その楽曲の属するジャンル、その楽曲の曲調などの各種属性情報に基づいて検索することができるように格納されている。また、前記ユーザの個人情報を格納した個人情報データベース４２には、管理下にある前記ＡＶ機器２０に登録されている各ユーザについて、その個人ＩＤごとに、少なくとも、その好みの楽曲のジャンルや好みのアーティスト名などのユーザの音楽上の嗜好に関する情報が格納されている。
図示するように、前記携帯端末１０と前記ＡＶ機器２０とは無線ＬＡＮなどを介して無線通信を行うことができるようになされており、また、前記ＡＶ機器２０はネットワーク３０を介して前記サーバー装置（行動履歴曲判別サーバー）４０に接続することができるようになされている。
【０００９】
前記携帯端末１０には、この携帯端末１０の存在する位置を検出するＧＰＳ（Global Positioning System）処理部などの位置検出部１２と、その携帯端末を使用しているユーザを識別するための個人認証情報を取得する個人認証部１３が設けられており、ＡＶ機器２０に対する制御情報だけでなく、後述するように、指紋認証データなどの個人認証情報やユーザの行動履歴情報を前記ＡＶ機器２０に送信することができるようになされており、また、前記ＡＶ機器２０からのユーザ認証結果を示す個人ＩＤ情報、そのユーザが予め設定しておいたそのユーザ用のＧＵＩ（グラフィカルユーザインターフェース）を指定する情報（個人用ＧＵＩ番号）及びそのユーザ用の起動音を指定する情報（個人用起動音番号）などを受信するようになされている。
前記ＡＶ機器２０は、前記移動端末１０から受信したユーザの個人ＩＤ及びそのユーザの行動履歴情報をネットワーク３０を介して前記サーバー装置４０に送信するようになされており、前記サーバー装置４０は、後述するように、該ＡＶ機器２０から受信したユーザの行動履歴情報に基づいてユーザがその日に経験した事柄に合致する楽曲を選択し、その楽曲の曲データを前記ＡＶ機器２０にストリーミング配信する。これにより、前記ＡＶ機器２０から、ユーザのその日の行動履歴に合致する楽曲を自動的にすることが可能となる。
【００１０】
図２は、前記携帯端末１０の要部構成を示すブロック図である。
この図において、１１はこの携帯端末１０を制御する中央制御部，１２はこの携帯端末の位置を検出する位置検出部であり、例えば、ＧＰＳ信号受信回路と信号処理回路などを有するＧＰＳ処理部により構成されている。また、１３はこの携帯端末を操作しているユーザが誰であるかを検出する個人認証部であり、例えば、指紋センサーである。１４は、前記中央制御部１１の制御プログラムや検出されたユーザの個人情報、及び、所定時間ごとに前記位置検出部１２で検出した位置情報と時間情報を記憶した行動履歴情報などの各種データの記憶領域や作業領域となるメモリ、１５は表示部、１６は操作部、１７は起動音を発生する音楽再生部、１８は前記ＡＶ機器２０との間で各種信号を送受信する無線ＬＡＮ回路などの無線通信部、１９は各構成要素間のデータ伝送を行うバスである。
【００１１】
このＡＶシステムは、例えば家庭で使用されるものであり、前記携帯端末１０は、複数のユーザにより共用される。本発明の携帯端末１０には個人認証部１３が設けられており、後述するように、ユーザが携帯端末１０を手に持ち、個人認証部１３（指紋センサー）により個人認証を行うと、そのユーザがあらかじめ設定しておいたスキン（アプリケーションソフトの外見に関する情報を格納したファイル）が選択され、そのユーザ専用のＧＵＩ画面が表示部１５に表示される。また、そのユーザが予め登録しておいた起動音が前記音楽再生部１７から発せられる。このように、それぞれのユーザに応じた制御が行われる。
【００１２】
図３は、前記ネットワーク対応のＡＶ機器２０の要部構成を示すブロック図である。
この図において、２１はこのＡＶ機器２０全体の制御を行う中央制御部、２２は制御プログラムや各種データが記憶されるメモリ、２３は表示部、２４は曲データなどを記憶するハードディスク装置などの大容量記憶装置（以下、単に「ハードディスク装置」とよぶ。）、２５は前記ハードディスク装置２４に格納されている曲データや前記サーバー装置４０からストリーミング配信される曲データを再生出力する音楽再生部、２６は前記携帯端末１０との間で送受信するための無線通信（無線ＬＡＮ）部、２７はインターネットなどのネットワーク３０と接続するためのネットワークインターフェース部、２８は前記各構成要素間のデータ伝送を行うためのバスである。なお、図示していないが、ＣＤドライブ装置なども設けられており、ＣＤからリッピングした曲データや前記ネットワークからダウンロードした曲データなどを前記ハードディスク装置２４に記憶することができるようになされている。
【００１３】
また、前記ハードディスク装置２４には、このＡＶ機器２０に登録されているユーザに関する情報を記録した個人情報管理テーブルも記憶されている。
図４は、該個人情報管理テーブルに記憶されている情報の例を示す図である。この図に示すように、個人情報管理テーブルには、各ユーザの個人ＩＤごとに、その個人認証情報（指紋認証データ（指紋の特徴データ））、音楽上の嗜好（好みの音楽ジャンル）、ユーザにより選択されたＧＵＩを指定する番号、ユーザにより選択された起動音の番号などの情報が記憶されている。ユーザは、最初に携帯端末１０を使用するときに実行される個人登録処理において、その個人認証情報（指紋認証データ）、好みの音楽ジャンル、好みのＧＵＩ番号、好みの起動音番号などを登録することができ、また、いつでも、その登録内容を変更することができる。なお、上記においては、音楽上の嗜好として、好みの音楽ジャンルが設定されている例を示したが、好みのアーティスト名、好みの曲名など、他の情報も設定することができる。
この個人情報管理テーブルの内容は、前記サーバー装置４０に送信され、個人情報データベース４２に格納される。
【００１４】
このように構成された本発明のＡＶシステムの動作について、携帯端末１０の動作シーケンスを示す図５、前記ＡＶ機器２０の動作シーケンスを示す図６、個人登録シーケンスを示す図７、及び、サーバー装置４０の動作シーケンスを示す図８の各フローチャートを参照して説明する。
図５において、まず、ユーザが前記携帯端末１０を手に取り、前記個人認証部１３の指紋センサーに指をあてて、指紋を読み取らせると、指紋データが取得され、それに基づいて個人認証情報（指紋認証データ）が生成され、無線ＬＡＮなどを通じて前記ＡＶ機器２０に送信される（ステップＳ１）。
この信号は、ＡＶ機器２０で受信される（図６のステップＳ１１）。この指紋認証データを受信すると、ＡＶ機器２０は個人認証処理を行う（ステップＳ１２）。すなわち、受信した指紋認証データを前記ハードディスク装置２４に記憶されている個人情報管理テーブル（図４）中の各ユーザの指紋認証データと比較して一致するものがあるか否かを判定し、一致するものがあれば、認証に成功したものとして、そのユーザの個人情報（そのユーザが選択しているＧＵＩ番号及び起動音番号）をそのユーザを識別する個人ＩＤとともに前記携帯端末１０に送信する（ステップＳ１３）。
【００１５】
一方、ステップＳ１１で受信した指紋認証データと一致する指紋認証データが前記個人情報管理テーブル中に記憶されていないときは、新規ユーザであると判定し、個人登録シーケンス（Ｓ２０）に移行する。この個人登録シーケンスでは、まず、前記携帯端末１０にユーザの初期登録画面が送信される。
前記携帯端末１０は、前記ステップＳ１で前記ＡＶ機器２０に指紋認証データを送信した後、ＡＶ機器２０から初期登録画面のデータを受信した場合には、個人認証できなかったものとして、前記個人認証シーケンス（S２０）に移行する（ステップＳ２）。
【００１６】
図７は、この個人認証シーケンス（S２０）において前記携帯端末１０と前記ＡＶ機器２０で実行される処理の流れを示すフローチャートである。
ＡＶ機器２０は、前記ステップＳ１２において個人認証に成功しなかったときは、前記携帯端末１０に対して、ユーザを初期登録するための初期登録画面の情報を送信する（ステップＳ２１）。
前記携帯端末１０では、この初期登録画面がその表示部１５に表示され、ユーザは、該画面を利用して自己の使用するＧＵＩを指定する情報、使用する起動音を指定する情報、及び、音楽上の嗜好などの個人情報を入力する。携帯端末１０は、この入力された個人情報を前記ステップＳ１で取得した指紋認証データとともに、前記ＡＶ機器２０に送信する（ステップＳ２２）。なお、ＡＶ機器２０において、ステップＳ１１で受信した指紋認証データを使用することとして、個人情報のみを送信するようにしてもよい。
前記ＡＶ機器２０は、携帯端末１０から送信された個人情報と前記指紋認証データを受信すると、それらに個人を識別する個人ＩＤを付与して前記ハードディスク装置２４の個人情報管理テーブルに保存する（ステップＳ２３）。また、この個人情報管理テーブルの内容は、前記サーバー装置４０に送信し、サーバ装置４０に設けられた個人情報データベース４２に格納させる。
これにより、個人情報を登録することができた。前記ＡＶ機器２０は、この個人登録シーケンス（Ｓ２０）を終了すると、その個人情報（個人ＩＤ、個人用ＧＵＩ番号及び起動音番号）を前記携帯端末１０に送信する（図６のステップＳ１３）。
【００１７】
前記携帯端末１０は、前記個人認証が成功したとき、又は、前記個人登録シーケンスを終了した後に、図６のステップＳ１３によりＡＶ機器２０から送信された個人ＩＤ、個人用ＧＵＩ番号及び起動音番号を受信すると、それらを使用して動作を開始する（図５のステップＳ３）。すなわち、前記起動音番号により指定される起動音を前記音楽再生部１７で再生するとともに、前記個人用ＧＵＩ番号により指定されるスキンを選択して前記表示部１５に表示して、そのユーザ専用の環境で携帯端末１０を起動する。
以後、ユーザは、該携帯端末１０を使用して前記ＡＶ機器２０を操作し、前記ハードディスク装置２４に格納されている楽曲の再生などを楽しむことができる。
【００１８】
その後、ユーザが携帯端末１０を持って外出したとする（ステップＳ４）。携帯端末１０には、前述のようにＧＰＳ処理部などの位置検出部１２が設けられており、所定時間間隔（例えば、１０分ごと）にその現在位置を示す位置情報（緯度情報及び経度情報）を取得し、その時点の時刻情報とともに前記メモリ１４に記憶することができるようになされている。以下、このメモリ１４に記憶された複数組の位置情報と時刻情報からなる情報を行動履歴情報とよぶこととする。
ここで、前記行動履歴情報のメモリ１４への記録動作の開始／終了は、ユーザが手動で行うようにしてもよいし、あるいは、自動的に行われるようにしてもよい。自動的に行う場合には、前記メモリ１４中にユーザの自宅の位置情報を予め記憶しておき、所定時間ごとに前記位置検出部１２を動作させて検出した位置情報がユーザの自宅の位置から所定距離（例えば、１００m）相当分以上離れたものとなったときに、前記行動履歴情報の記録を開始し、前記位置検出部１２で検出した位置がユーザの自宅から所定距離以内のものとなったときに前記記録を終了するようにすればよい。あるいは、前記無線通信部（無線ＬＡＮ部）１８において測定される受信電界強度が所定のしきい値（例えば、通信不可能な値）以下となったときにユーザが外出したものとして、前記行動履歴情報の記録を開始し、該記録動作を開始した後、前記受信電界強度が前記所定のしきい値を超えた時に帰宅したものと判断して、前記行動履歴情報の記録を停止するようにしてもよい。
また、前記位置検出部１２を起動して行動履歴情報を記録する時間間隔は、ユーザが任意に設定することができるようにしてもよい。さらに、行動履歴情報の記憶形態は、上記のように所定時間ごとの位置情報と時刻情報の組である必要はなく、ユーザが滞在していた位置とその時間（いつからいつまで）を判別することができるものであればよい。例えば、ユーザがある場所に留まっているときには、その場所への到着時刻とその場所から移動した時刻とをその場所の位置情報とともに記憶するようにすれば、必要とされる記憶容量を少なくすることができる。
【００１９】
携帯端末１０を持って外出したユーザが帰宅すると、自動的に又はユーザの操作により、前記行動履歴情報の記録動作が停止され、メモリ１４に記憶された行動履歴情報が前記ＡＶ機器２０に送信される（ステップＳ５）。このとき、そのユーザの個人ＩＤも行動履歴情報とともに前記ＡＶ機器２０に送信される。
前記ＡＶ機器２０では、この行動履歴情報を受信すると（図６のステップＳ１４）、前記サーバー装置４０に受信した行動履歴情報と個人ＩＤを送信する（ステップＳ１５）。
【００２０】
図８は、前記サーバー装置４０の動作シーケンスを示すフローチャートである。
サーバー装置４０は、前記ＡＶ機器２０から送信された行動履歴情報と個人ＩＤを受信すると（ステップＳ３１）、ユーザの行動履歴に合致した曲を判別する行動履歴曲判別処理を行う。すなわち、該行動履歴情報を解析して、ユーザが長時間滞在していた位置をその滞在時間の長い順に取り出し（ステップＳ３２）、次に、該行動履歴解析処理により取り出された位置情報に基づき、それに対応した楽曲を選択する曲判別処理を行う（ステップＳ３３）。例えば、地図情報を参照してユーザが長時間滞在していた場所を特定し、その場所と関連の深い楽曲があるか否かを判別し、曲を特定できたときには、その曲情報を配信リストに登録する。そして、配信リストに曲情報が登録されているときは（ステップＳ３４がＹＥＳ）、その楽曲の曲データを前記ＡＶ機器２０にストリーミング配信する（ステップＳ３５）。一方、前記ステップＳ３３の曲判別処理で曲を特定することができず、前記配信リストに曲情報が登録されていないときは（ステップＳ３４がＮＯ）、曲判別に失敗したことを前記ＡＶ機器２０に通知する（ステップＳ３６）。
【００２１】
前記ＡＶ機器２０では、前記サーバー装置４０からのデータを受信し、サーバー装置４０において曲判別に成功してストリーミング配信された曲データを受信したときは（図６のステップＳ１６がＹＥＳ）、その曲をストリーミング再生する（ステップＳ１７）。これにより、ユーザのその日に経験したことに関連の深い楽曲がＡＶ機器２０の音楽再生部２５から自動的に再生されることとなる。また、サーバー装置４０が曲判別に失敗したことを示す通知を受信したときは（ステップＳ１６がＮＯ）、前記表示部２３にその旨を表示する（ステップＳ１８）。
【００２２】
前記行動履歴曲判別処理について、図９及び図１０を参照してさらに説明する。
図９は、前記行動履歴解析処理（Ｓ３２）の流れを示すフローチャートである。
この行動履歴解析処理では、前記ＡＶ機器２０から送られてきた緯度経度の情報からなる位置情報と時刻情報の組からなる行動履歴情報を順次読み出し、緯度経度の値が予め設定した所定の範囲内（例えば、50m以内）に一定時間以上滞在していたか否かを判定する（ステップＳ４２）。そして、所定の狭い範囲内に一定時間（例えば、３０分）以上滞在していたときには、その滞在時間（その範囲内にいた最初の時間から最後の時間までの経過時間）とその範囲の中心位置の情報を行動履歴解析データとして記憶する（ステップＳ４３）。このように送られてきた行動履歴情報の最後まで、行動履歴を解析し滞在時間とその中心位置からなる行動履歴解析データを取得する（ステップＳ４１）。
そして、このように取得した行動履歴解析データを滞在時間の長い順にソートして（ステップＳ４４）、後続する曲判別処理（Ｓ３３）に渡す。
例えば、前記ステップＳ４１〜Ｓ４３の結果、ユーザが15時〜17時まで位置Ａ、18時〜21時まで位置Ｂ、22時〜23時まで位置Ｃにいたことが解析されたとする。前記ステップＳ４４では、ユーザが費やした時間の長さでソートを行い、位置Ｂ、位置Ａ、位置Ｃの順とされたデータが出力される。
【００２３】
図１０は、曲判別処理（Ｓ３３）の流れを示すフローチャートである。
この処理では、前記行動履歴解析処理（Ｓ３３）で得られた滞在時間の長い順に並べ替えられた行動履歴解析データを順に取り出し、その位置情報（中心位置の位置情報）から地図データを参照してその場所を特定する（ステップＳ５２）。そして、該特定した場所に基づき、その場所においてユーザが滞在していた時間に行われていたイベントに関する情報の取得を試みる。例えば、前記ステップＳ５２の結果、その場所がコンサートホールなどであることが判別されていれば、各種イベントを記録したデータベースを参照し、その場所で当日のユーザが滞在していた時間に行われていたコンサートに関する情報を取得する。あるいは、その場所が映画館であれば、映画の上映スケジュールを記憶したデータベースを参照し、ユーザが滞在していた時間に上映されていた映画についての情報を取得する。このようにして、特定した場所と時間からイベントに関する情報を取得することができたときは（ステップＳ５３がＹＥＳ）、そのイベントに関連し、そのユーザの個人情報（音楽上の嗜好）を参照して、ユーザの好みを考慮した曲情報を取得する。例えば、イベントがコンサートであるときは、そのアーティストの曲を選択し、必要に応じて、ユーザの好みのジャンルの曲を選択する。また、イベントが映画のときには、そのサウンドトラックの曲を選択する。このように、イベントに関連した曲情報を取得することができたときは（ステップＳ５４がＹＥＳ）、その曲情報を前記ＡＶ機器２０に配信する曲を登録する配信リストに登録する（ステップＳ５６）。
【００２４】
一方、前記イベントに関する情報を取得することができなかったとき（ステップＳ５３がＮＯ）、又は、イベントに関連し、個人の好みを考慮した曲情報を取得することができなかったとき（ステップＳ５４がＮＯ）は、前記ステップＳ５２で特定した場所とユーザの好みを考慮して曲情報を取得することを試みる。例えば、前記ステップＳ５２で特定された場所が海岸であるときには、サーバー装置４０に設けられている楽曲データベース４１から海に関連する曲のうちのユーザの嗜好にあった曲を選択する。このようにして、特定した場所と個人の好みを考慮した曲情報の取得に成功したときは（ステップＳ５５がＹＥＳ）、その曲情報を前記配信リストに登録する（ステップＳ５６）。
選択した曲情報の前記配信リストへの追加処理（Ｓ５６）、又は、前記特定した場所と個人の好みを考慮した曲情報を取得することができなかったとき（ステップＳ５５がＮＯ）は、次の行動履歴解析データを対象として同様の曲判別処理を行い、全ての行動履歴解析データにつき処理を行う（ステップＳ５１）。
このようにして、ユーザの行動履歴に合致した曲情報が前記配信リストに登録される。
【００２５】
例えば、前述の例において、位置Ｂがコンサート会場、位置Ａが映画館、位置Ｃが海であることが特定されたとする（Ｓ５２）。このときは、前記位置Ｂのコンサート会場及びユーザが滞在した時間をキーとしてコンサート情報を格納したデータベースを検索し、その結果、バンドＤのコンサートが行われていたことが特定されれば（Ｓ５３）、そのバンドＤの曲情報が前記配信リストに追加される（Ｓ５４、Ｓ５６）。また、位置Ａの映画館について、映画の上映スケジュールを提供しているデータベースを参照して、そのときに上映されていた映画がＥであることが特定されれば（Ｓ５３）、該映画Ｅに関係する曲情報が前記配信リストに登録される（Ｓ５４、Ｓ５６）。さらに、位置Ｃの海について特定のイベント情報を特定することができなかったものとすると（ステップＳ５３がＮＯ）、前記楽曲データベース４１から海に関する楽曲が選択され、複数の楽曲が得られた場合には、前記個人情報データベース４２に含まれているユーザの好みのアーティストの楽曲が前記配信リストに登録される（Ｓ５５、Ｓ５６）。
このようにして配信リストに登録された楽曲の曲データが順次前記ＡＶ機器２０に配信され、ユーザの行動履歴に合致した曲が自動的に再生されることとなる。
このように、前記配信リストには、ユーザが留まった時間が長い順に関連する楽曲が配列されているので、一日のうち最も時間を費やした場所に関する曲から配信されることとなる。
【００２６】
なお、上述した実施の形態においては、前記サーバ装置４０において行動履歴情報の解析処理（図９）を行うようにしていたが、前記携帯端末１０又は前記ＡＶ機器２０において、行動履歴情報の解析処理を行うようにしてもよい。
また、上記においては、曲判別処理（図１０）で選択された楽曲をサーバ装置４０から前記ＡＶ機器２０にストリーミング配信するようにしていたが、必ずしも、これに限られることはなく、選択された楽曲名を前記ＡＶ機器２０に通知し、選択された楽曲が前記ＡＶ機器２０のハードディスク装置２４に格納されていないときにのみその楽曲をストリーミング配信し、前記ハードディスク装置２４に格納されているときには、該ハードディスク装置２４から読み出して再生させるようにしてもよい。
さらに、上記においては、携帯端末１０から個人認証情報（指紋認証データ）を前記ＡＶ機器２０に送信し、該ＡＶ機器２０で個人認証を行うようにしていたが、携帯端末１０に登録ユーザの指紋認証データを記憶しておき、携帯端末１０で個人認証まで行うようにすることもできる。
さらにまた、携帯端末１０に指紋センサーなどの個人認証部１３を設けることなく、携帯端末１０からユーザの個人ＩＤを前記ＡＶ機器２０に送信するようにしてもよい。例えば、前記携帯端末１０にユーザ選択スイッチを設けて、各ユーザがユーザ選択スイッチを操作することにより自己のＩＤを選択するようにし、携帯端末１０からＡＶ機器２０に送信するデータにそのユーザの個人ＩＤを付加して送信するようにすればよい。
さらにまた、上記においては、ユーザの行動履歴に合致した楽曲をＡＶ機器２０で再生させるようにしていたが、ユーザの行動履歴に合致した映像をＡＶ機器で再生させるようにすることもできる。この場合には、前記サーバー装置４０で曲判別ではなく映像判別処理を行い、選択された映像をＡＶ機器で再生させるようにすればよい。
【図面の簡単な説明】
【００２７】
【図１】本発明の携帯端末、ＡＶ機器及びサーバー装置から構成されるＡＶシステムの全体構成を示す図である。
【図２】携帯端末１０の一構成例を示すブロック図である。
【図３】ＡＶ機器２０の一構成例を示すブロック図である。
【図４】個人情報管理テーブルに記憶される情報の一例を示す図である。
【図５】携帯端末１０の動作シーケンスを示すフローチャートである。
【図６】ＡＶ機器２０の動作シーケンスを示すフローチャートである。
【図７】個人登録シーケンスの流れを示すフローチャートである。
【図８】サーバー装置４０の動作シーケンスを示すフローチャートである。
【図９】サーバー装置４０で実行される行動履歴解析処理の流れを示すフローチャートである。
【図１０】サーバー装置４０で実行される曲判別処理の流れを示すフローチャートである。
【符号の説明】
【００２８】
１０：携帯端末、１１：中央制御装置、１２：位置検出部、１３：個人認証部、１４：メモリ、１５：表示部、１６：操作部、１７：音楽再生部（起動音）、１８：無線通信部、２０：ＡＶ機器、２１：中央制御部、２２：メモリ、２３：表示部、２４：ハードディスク装置、２５：音楽再生部、２６：ネットワーク通信部、２７：無線通信部、３０：ネットワーク、４０：サーバー装置、４１：楽曲データベース、４２：個人情報データベース
【図１】
2005222111.tif 000003
【図２】
2005222111.tif 000004
【図３】
2005222111.tif 000005
【図４】
2005222111.tif 000006
【図５】
2005222111.tif 000007
【図６】
2005222111.tif 000008
【図７】
2005222111.tif 000009
【図８】
2005222111.tif 000010
【図９】
2005222111.tif 000011
【図１０】
2005222111.tif 000012